(57)【要約】【課題】クリーニングブレードのめくれや欠損を抑制しつつ、トナー消費量を削減する。【解決手段】本発明に係る画像形成装置１は、像担持体にトナーを供給する現像部材１３と、像担持体上の転写残トナーを除去するクリーニングブレードと、を備え、像担持体とクリーニングブレードの接触領域の全域にトナーを付与するための第１トナー付与動作と、像担持体とクリーニングブレードの接触領域の端部にトナーを付与するための第２トナー付与動作と、を実行可能に設けられた画像形成装置１であって、第２の用紙の印字枚数の割合に応じて、第２トナー付与動作を実行するか否かを判定する判定部２１ａと、第２トナー付与動作を実行すると判定部２１ａが判定した場合に、第２の用紙の印字率に基づいて、第２トナー付与動作の実行時に現像部材１３から像担持体に供給されるトナーの幅である供給トナー幅を決定する決定部２１ｂと、を備えている。【選択図】図４
2020008733.tif 000002
【特許請求の範囲】
【請求項１】
トナー像を担持する像担持体と、
前記像担持体にトナーを供給する現像部材と、
前記像担持体上のトナー像を用紙又は中間転写体に転写する転写部材と、
前記像担持体に接触して前記像担持体上の転写残トナーを除去するクリーニングブレードと、を備え、
第１の用紙と、前記第１の用紙よりも幅が狭い第２の用紙と、に対して印字動作を実行可能に設けられると共に、
前記像担持体と前記クリーニングブレードの接触領域の全域にトナーを付与するための第１トナー付与動作と、前記像担持体と前記クリーニングブレードの接触領域の端部にトナーを付与するための第２トナー付与動作と、を実行可能に設けられた画像形成装置であって、
所定の累積印字枚数に含まれる前記第２の用紙の印字枚数の割合に応じて、前記第２トナー付与動作を実行するか否かを判定する判定部と、
前記第２トナー付与動作を実行すると前記判定部が判定した場合に、前記第２の用紙の印字率に基づいて、前記第２トナー付与動作の実行時に前記現像部材から前記像担持体に供給されるトナーの幅である供給トナー幅を決定する決定部と、を備えていることを特徴とする画像形成装置。
【請求項２】
前記決定部は、所定の累積印字枚数に含まれる前記第２の用紙の印字枚数の割合及び前記第２の用紙の印字率に基づいて決定される倍率に前記第２の用紙の幅を乗じることで、前記第２トナー付与動作の実行時に前記現像部材から前記像担持体へのトナーの供給が規制される幅である供給規制幅を決定し、前記供給規制幅に基づいて前記供給トナー幅を決定することを特徴とする請求項１に記載の画像形成装置。
【請求項３】
前記倍率は、所定の累積印字枚数に含まれる前記第２の用紙の印字枚数の割合が増加するのに従って減少し、前記第２の用紙の印字率が増加するのに従って増加するように設定されていることを特徴とする請求項２に記載の画像形成装置。
【請求項４】
前記決定部は、前記第２トナー付与動作を実行すると前記判定部が判定した場合に、前記第２の用紙の全域の印字率に基づいて、前記供給トナー幅を決定することを特徴とする請求項１〜３のいずれか１項に記載の画像形成装置。
【請求項５】
前記決定部は、前記第２トナー付与動作を実行すると前記判定部が判定した場合に、前記第２の用紙の端部の印字率に基づいて、前記供給トナー幅を決定することを特徴とする請求項１〜３のいずれか１項に記載の画像形成装置。
【請求項６】
前記判定部は、所定の累積印字枚数に含まれる前記第２の用紙の印字枚数の割合が閾値以下である場合に、前記第２トナー付与動作を実行しないと判定し、所定の累積印字枚数に含まれる前記第２の用紙の印字枚数の割合が前記閾値を超える場合に、前記第２トナー付与動作を実行すると判定することを特徴とする請求項１〜５のいずれか１項に記載の画像形成装置。
【請求項７】
前記像担持体は、アモルファスシリコンによって構成される感光層を含む感光体ドラムであることを特徴とする請求項１〜６のいずれか１項に記載の画像形成装置。
【発明の詳細な説明】
【技術分野】
【０００１】
本発明は、電子写真方式の画像形成装置に関する。
【背景技術】
【０００２】
従来、電子写真方式の画像形成装置は、トナー像を担持する像担持体と、像担持体にトナーを供給する現像部材と、像担持体上のトナー像を用紙又は中間転写体に転写する転写部材と、像担持体に接触して像担持体上の転写残トナーを除去するクリーニングブレードと、を備えている。
【０００３】
像担持体の回転時には、像担持体上のトナーに含まれる外添剤によって像担持体とクリーニングブレードの間の摩擦力が低減され、像担持体に対するクリーニングブレードのスティックスリップ現象の釣り合いが保たれている。従って、像担持体とクリーニングブレードの接触領域（以下、「当該接触領域」と称する）に存在するトナーの量が少なすぎると、像担持体とクリーニングブレードの間の摩擦力が上昇し、スティックスリップ現象の釣り合いが崩れてしまう。このような事態が発生すると、クリーニングブレードがめくれたり、クリーニングブレードの一部が欠損したりする恐れがある。
【０００４】
そこで、特許文献１では、像担持体（特許文献１の「感光体」参照）の画像現像幅の全幅に亘って静電潜像を形成し、この静電潜像をトナーによって現像した後、未転写のままクリーニングブレードによって清掃している。
【先行技術文献】
【特許文献】
【０００５】
【特許文献１】特開平２−２８９８８５号公報
【発明の概要】
【発明が解決しようとする課題】
【０００６】
大サイズの用紙（例えば、Ａ４サイズの用紙）に対して印字動作が実行される場合には、像担持体の長手方向の端部付近までトナー像が形成されるため、当該接触領域の全域に転写残トナーが供給される。これに対して、大サイズの用紙よりも幅が狭い小サイズの用紙（例えば、Ａ５サイズの用紙）に対して印字動作が実行される場合には、像担持体の長手方向の端部付近にはトナー像が形成されないため、当該接触領域の端部には転写残トナーが供給されない。そのため、小サイズの用紙の印字枚数の割合が高くなると、当該接触領域の端部において、クリーニングブレードのめくれや欠損が発生しやすくなる。
【０００７】
特許文献１では、当該接触領域の全域に対して、トナーが均一に付与されている。そのため、当該接触領域の端部（トナーが不足しやすい部分）に対して必要な量のトナーを供給しようとすると、当該接触領域の中央部（トナーが不足しにくい部分）に対して必要以上のトナーを供給してしまい、トナー消費量が増加する恐れがある。
【０００８】
そこで、本発明は、クリーニングブレードのめくれや欠損を抑制しつつ、トナー消費量を削減することを目的とする。
【課題を解決するための手段】
【０００９】
本発明に係る画像形成装置は、トナー像を担持する像担持体と、前記像担持体にトナーを供給する現像部材と、前記像担持体上のトナー像を用紙又は中間転写体に転写する転写部材と、前記像担持体に接触して前記像担持体上の転写残トナーを除去するクリーニングブレードと、を備え、第１の用紙と、前記第１の用紙よりも幅が狭い第２の用紙と、に対して印字動作を実行可能に設けられると共に、前記像担持体と前記クリーニングブレードの接触領域の全域にトナーを付与するための第１トナー付与動作と、前記像担持体と前記クリーニングブレードの接触領域の端部にトナーを付与するための第２トナー付与動作と、を実行可能に設けられた画像形成装置であって、所定の累積印字枚数に含まれる前記第２の用紙の印字枚数の割合に応じて、前記第２トナー付与動作を実行するか否かを判定する判定部と、前記第２トナー付与動作を実行すると前記判定部が判定した場合に、前記第２の用紙の印字率に基づいて、前記第２トナー付与動作の実行時に前記現像部材から前記像担持体に供給されるトナーの幅である供給トナー幅を決定する決定部と、を備えていることを特徴とする。
【００１０】
前記決定部は、所定の累積印字枚数に含まれる前記第２の用紙の印字枚数の割合及び前記第２の用紙の印字率に基づいて決定される倍率に前記第２の用紙の幅を乗じることで、前記第２トナー付与動作の実行時に前記現像部材から前記像担持体へのトナーの供給が規制される幅である供給規制幅を決定し、前記供給規制幅に基づいて前記供給トナー幅を決定しても良い。
【００１１】
前記倍率は、所定の累積印字枚数に含まれる前記第２の用紙の印字枚数の割合が増加するのに従って減少し、前記第２の用紙の印字率が増加するのに従って増加するように設定されていても良い。
【００１２】
前記決定部は、前記第２トナー付与動作を実行すると前記判定部が判定した場合に、前記第２の用紙の全域の印字率に基づいて、前記供給トナー幅を決定しても良い。
【００１３】
前記決定部は、前記第２トナー付与動作を実行すると前記判定部が判定した場合に、前記第２の用紙の端部の印字率に基づいて、前記供給トナー幅を決定しても良い。
【００１４】
前記判定部は、所定の累積印字枚数に含まれる前記第２の用紙の印字枚数の割合が閾値以下である場合に、前記第２トナー付与動作を実行しないと判定し、所定の累積印字枚数に含まれる前記第２の用紙の印字枚数の割合が前記閾値を超える場合に、前記第２トナー付与動作を実行すると判定しても良い。
【００１５】
前記像担持体は、アモルファスシリコンによって構成される感光層を含む感光体ドラムであっても良い。
【発明の効果】
【００１６】
本発明によれば、クリーニングブレードのめくれや欠損を抑制しつつ、トナー消費量を削減することが可能となる。
【図面の簡単な説明】
【００１７】
【図１】本発明の一実施形態に係る画像形成装置の概略を示す模式図である。
【図２】本発明の一実施形態に係る画像形成部を示す断面図である。
【図３】本発明の一実施形態に係る感光体ドラム及びクリーニングブレードを示す平面図である。
【図４】本発明の一実施形態に係る画像形成装置の制御システムを示すブロック図である。
【図５Ａ】本発明の一実施形態に係る画像形成装置において、感光体ドラムとクリーニングブレードの接触領域及びその周辺を示す断面図である。
【図５Ｂ】本発明の一実施形態に係る画像形成装置において、感光体ドラムとクリーニングブレードの接触領域及びその周辺を示す下側からの斜視図である。
【図６】本発明の一実施形態に係る画像形成装置において、供給トナー幅の決定に用いられる倍率を定めた表である。
【図７】本発明の一実施形態に係る画像形成装置において、供給規制幅を示す表である。
【図８】本発明の一実施形態に係る画像形成装置において、供給トナー幅を示す表である。
【発明を実施するための形態】
【００１８】
以下、図面を参照しつつ、本発明の一実施形態に係る画像形成装置１について説明する。以下、説明の便宜上、図１における紙面手前側を画像形成装置１の前側とする。各図に適宜付される矢印Ｆｒ、Ｒｒ、Ｌ、Ｒ、Ｕ、Ｌｏは、それぞれ画像形成装置１の前側、後側、左側、右側、上側、下側を示している。
【００１９】
まず、画像形成装置１の全体の構成について説明する。
【００２０】
図１を参照して、画像形成装置１は、例えば、プリンターである。画像形成装置１は、箱型の装置本体２を備えている。装置本体２の下部には、用紙Ｓを収納する給紙カセット３が収容されている。装置本体２の上面には排紙トレイ４が設けられている。装置本体２の上部には、排紙トレイ４の下方に露光器５が収容されている。
【００２１】
装置本体２の内部には、用紙Ｓの搬送路Ｐが設けられている。搬送路Ｐの上流端部には、給紙部６が設けられている。搬送路Ｐの中流部には、画像形成部７が設けられている。搬送路Ｐの下流部には、定着装置８が設けられている。
【００２２】
次に、このような構成を備えた画像形成装置１の動作について説明する。
【００２３】
まず、露光器５からのレーザー光（図１の点線矢印参照）により画像形成部７において静電潜像が形成される。次に、画像形成部７において上記の静電潜像が現像され、トナー像が形成される。
【００２４】
一方、給紙部６によって給紙カセット３から取り出された用紙Ｓは、上記した画像形成動作とタイミングを合わせて画像形成部７へと搬送され、画像形成部７において上記のトナー像が用紙Ｓに転写される。トナー像を転写された用紙Ｓは、定着装置８に進入し、この定着装置８において用紙Ｓにトナー像が定着される。トナー像が定着された用紙Ｓは、排紙トレイ４に排出される。
【００２５】
次に、画像形成部７について更に説明する。
【００２６】
図２を参照して、画像形成部７は、感光体ドラム１１（像担持体の一例）と、感光体ドラム１１の上方に設けられる帯電ローラー１２（帯電部材の一例）と、感光体ドラム１１の左方に設けられる現像ローラー１３（現像部材の一例）と、感光体ドラム１１の下方に設けられる転写ローラー１４（転写部材の一例）と、感光体ドラム１１の右上方に設けられるクリーニングブレード１５と、を備えている。
【００２７】
画像形成部７の感光体ドラム１１は、前後方向に長い円筒状を成している。感光体ドラム１１は、所定の回転方向に回転可能に設けられている。なお、各図に適宜付される矢印Ａは、感光体ドラム１１の回転方向を示している。
【００２８】
感光体ドラム１１は、円筒状の基材層１１ａと、この基材層１１ａの表面を覆う感光層１１ｂと、を備えている。基材層１１ａは、例えば、アルミニウムやステンレス等の金属によって構成されている。感光層１１ｂは、例えば、アモルファスシリコンによって構成されている。以下、感光層１１ｂの表面のことを、「感光体ドラム１１の表面」と称する。
【００２９】
図２を参照して、画像形成部７の帯電ローラー１２は、前後方向に長い形状を成している。帯電ローラー１２は、回転可能に設けられている。帯電ローラー１２は、感光体ドラム１１の表面に接触している。
【００３０】
画像形成部７の現像ローラー１３は、前後方向に長い形状を成している。現像ローラー１３は、回転可能に設けられている。現像ローラー１３は、感光体ドラム１１の表面に対向している。
【００３１】
画像形成部７の転写ローラー１４は、前後方向に長い形状を成している。転写ローラー１４は、回転可能に設けられている。転写ローラー１４は、感光体ドラム１１の表面に接触している。
【００３２】
図２、図３を参照して、画像形成部７のクリーニングブレード１５は、前後方向に長い形状を成している。クリーニングブレード１５は、例えば、ポリウレタンゴムによって構成されている。クリーニングブレード１５のエッジ部１５ａは、感光体ドラム１１の表面に対してカウンター方向（感光体ドラム１１の回転方向の下流側から上流側に向かう方向）から接触している。感光体ドラム１１の表面とクリーニングブレード１５のエッジ部１５ａの接触領域ＣＡ（以下、「感光体ドラム１１とクリーニングブレード１５の接触領域ＣＡ」と略称する）は、前後方向に長い形状を成しており、クリーニングブレード１５の前端部から後端部まで連続している。
【００３３】
次に、画像形成装置１の制御システムについて説明する。
【００３４】
図４を参照して、画像形成装置１は、制御部２１を備えている。制御部２１は、例えば、ＣＰＵ（Central  Processing  Unit）によって構成されている。制御部２１は、画像形成装置１の各部（例えば、画像形成部７）に接続されており、画像形成装置１の各部を制御している。制御部２１は、判定部２１ａと決定部２１ｂとを備えている。
【００３５】
制御部２１は、記憶部２２に接続されている。記憶部２２は、制御用のプログラムやデータを記憶している。記憶部２２は、ＲＡＭ（Random  Access  Memory）及びＲＯＭ（Read  Only  Memory）を備えている。
【００３６】
制御部２１は、帯電バイアス印加部２４に接続されている。帯電バイアス印加部２４は、帯電ローラー１２に接続されており、制御部２１からの信号に基づいて帯電ローラー１２に帯電バイアスを印加する。帯電バイアスの極性は、現像剤に含まれるトナーの帯電極性と同一である。
【００３７】
制御部２１は、現像バイアス印加部２５に接続されている。現像バイアス印加部２５は、現像ローラー１３に接続されており、現像ローラー１３に現像バイアスを印加する。現像バイアスの極性は、現像剤に含まれるトナーの帯電極性と同一である。
【００３８】
制御部２１は、転写バイアス印加部２６に接続されている。転写バイアス印加部２６は、転写ローラー１４に接続されており、転写ローラー１４に転写バイアスを印加する。転写バイアスの極性は、現像剤に含まれるトナーの帯電極性と同一又は逆である。
【００３９】
次に、用紙Ｓに印字するための印字動作について説明する。
【００４０】
印字動作の実行時には、帯電バイアス印加部２４が帯電ローラー１２に帯電バイアスを印加し、帯電ローラー１２を帯電させる。また、印字動作の実行時には、モーター（図示せず）が感光体ドラム１１を回転させ、感光体ドラム１１の表面に接触する帯電ローラー１２が感光体ドラム１１に従動して回転する。これにより、帯電ローラー１２が感光体ドラム１１の表面を一様に帯電させる。
【００４１】
また、印字動作の実行時には、画像データに対応するレーザー光（図２の点線矢印参照）が露光器５から出射され、このレーザー光によって感光体ドラム１１の表面が露光される。これにより、感光体ドラム１１の表面に静電潜像が形成される。
【００４２】
また、印字動作の実行時には、モーター（図示せず）が現像ローラー１３を回転させる。また、印字動作の実行時には、現像バイアス印加部２５が現像ローラー１３に現像バイアスを印加する。これにより、現像ローラー１３に担持されたトナーが現像ローラー１３から感光体ドラム１１の表面に供給され、感光体ドラム１１の表面の静電潜像がトナー像に現像される。これにより、感光体ドラム１１の表面にトナー像が担持される。
【００４３】
また、印字動作の実行時には、画像形成部７に用紙Ｓが搬送される。また、印字動作の実行時には、転写バイアス印加部２６が転写ローラー１４にトナーの帯電極性と逆の極性の転写バイアスを印加する。これにより、転写ローラー１４が感光体ドラム１１の表面に担持されたトナー像を用紙Ｓに転写する。以上により、印字動作が完了する。
【００４４】
なお、転写ローラー１４による用紙Ｓへのトナー像の転写が完了した後には、感光体ドラム１１の表面に転写残トナーが残留する。この転写残トナーは、クリーニングブレード１５によって除去され、スクリュー（図示せず）によって回収される。
【００４５】
次に、感光体ドラム１１とクリーニングブレード１５の接触領域ＣＡにトナーを付与するための第１、第２トナー付与動作について説明する。
【００４６】
第１、第２トナー付与動作の実行時には、印字動作の実行時と同様に、現像ローラー１３から感光体ドラム１１の表面にトナーが供給される。一方で、第１、第２トナー付与動作の実行時には、画像形成部７に用紙Ｓが搬送されない。また、第１、第２トナー付与動作の実行時には、転写バイアス印加部２６が転写ローラー１４にトナーの帯電極性と同一の極性の転写バイアス（印字動作の実行時とは逆の極性の転写バイアス）を印加する。そのため、現像ローラー１３から感光体ドラム１１の表面に供給されたトナーは、転写ローラー１４に付着することなく感光体ドラム１１と転写ローラー１４の接触領域を通過し、感光体ドラム１１とクリーニングブレード１５の接触領域ＣＡに付与される。
【００４７】
なお、第１トナー付与動作の実行時には、現像ローラー１３から感光体ドラム１１の表面の長手方向の全域にトナーが供給される。これに伴って、感光体ドラム１１とクリーニングブレード１５の接触領域ＣＡの長手方向の全域にトナーが付与される。一方で、第２トナー付与動作の実行時には、現像ローラー１３から感光体ドラム１１の表面の長手方向の両端部のみにトナーが供給される。これに伴って、感光体ドラム１１とクリーニングブレード１５の接触領域ＣＡの長手方向の両端部のみにトナーが付与される。
【００４８】
本実施形態では、第１トナー付与動作の実行後に、第２トナー付与動作が第１トナー付与動作と連続して実行される。そのため、第１トナー付与動作によって現像ローラー１３から感光体ドラム１１の表面に付与されるトナー（図３の符号Ｔ１参照）と、第２トナー付与動作によって現像ローラー１３から感光体ドラム１１の表面に付与されるトナー（図３の符号Ｔ２参照）が連続することで、コ字型のトナー帯が形成される。
【００４９】
上記のように感光体ドラム１１とクリーニングブレード１５の接触領域ＣＡにトナーが付与されることで、感光体ドラム１１とクリーニングブレード１５の間の摩擦力を低減させることができる。そのため、クリーニングブレード１５がめくれたり、クリーニングブレード１５のエッジ部１５ａが欠損したりするのを抑制することができる。
【００５０】
次に、感光体ドラム１１における転写残トナーの移行について説明する。
【００５１】
図５Ａ、図５Ｂを参照して、クリーニングブレード１５によって感光体ドラム１１の中央領域Ｒａ（前後方向中央の領域）から除去された転写残トナー（図５Ａ、図５Ｂの矢印Ｔ参照）は、クリーニングブレード１５のエッジ部１５ａの近傍に溜まっていく。上記の溜まった転写残トナーは、感光体ドラム１１の回転に伴って前後方向（感光体ドラム１１の長手方向）に広がっていき、感光体ドラム１１の中央領域Ｒａから両端領域Ｒｂ（前後方向両端の領域）へと移行していく（図５Ｂの矢印Ｂ参照）。このような転写残トナーの移行は、クリーニングブレード１５のエッジ部１５ａの近傍にある転写残トナーが多ければ多いほど、顕著である。印字率が上昇すると、転写残トナーも多くなるため、転写残トナーが前後方向に広がりやすくなる。
【００５２】
次に、第２トナー付与動作の実行時に現像ローラー１３から感光体ドラム１１の表面に供給されるトナーの幅（以下、「供給トナー幅ｔ」と称する）を決定する方法について説明する。
【００５３】
図３を参照して、画像形成装置１は、第１の用紙Ｓ１（例えば、Ａ４レギュラーサイズの用紙）と、第１の用紙Ｓ１よりも前後方向の幅が狭い第２の用紙Ｓ２（例えば、Ａ５レギュラーサイズの用紙）と、に対して印字動作を実行可能に設けられている。
【００５４】
判定部２１ａは、所定の累積印字枚数Ｎの印字が完了する度に、累積印字枚数Ｎに含まれる第２の用紙Ｓ２の印字枚数の割合に応じて、第２トナー付与動作を実行するか否かを判定する。具体的には、判定部２１ａは、累積印字枚数Ｎに含まれる第２の用紙Ｓ２の印字枚数の割合が閾値Ｙ（本実施形態では、２０％）以下である場合には、第２トナー付与動作を実行しないと判定する。この場合には、第１トナー付与動作のみが実行される。一方で、判定部２１ａは、累積印字枚数Ｎに含まれる第２の用紙Ｓ２の印字枚数の割合が閾値Ｙを超える場合には、第２トナー付与動作を実行すると判定する。この場合には、第１トナー付与動作と第２トナー付与動作の両方が実行される。
【００５５】
図６は、供給トナー幅ｔの決定に用いられる倍率αを定めた表を示している。この倍率αは、累積印字枚数Ｎに含まれる第２の用紙Ｓ２の印字枚数の割合及び第２の用紙Ｓ２の全域の平均印字率に基づいて決定されている。具体的には、倍率αは、累積印字枚数Ｎに含まれる第２の用紙Ｓ２の印字枚数の割合が増加するのに従って減少し、第２の用紙Ｓ２の全域の平均印字率が増加するのに従って増加するように設定されている。
【００５６】
決定部２１ｂは、第２トナー付与動作を実行すると判定部２１ａが判定した場合に、第２の用紙Ｓ２の前後方向の幅ｐ（本実施形態では、１４８．５ｍｍ）に倍率αを乗じることで、第２トナー付与動作の実行時に現像ローラー１３から感光体ドラム１１の表面へのトナーの供給が規制される幅（以下、「供給規制幅」と称する）を決定する（図７参照）。次に、決定部２１ｂは、感光体ドラム１１とクリーニングブレード１５の接触領域ＣＡの前後方向の幅（本実施形態では、２２０ｍｍ）から供給規制幅を差し引いたものを２で割ることで、供給トナー幅ｔを決定する（図８参照）。
【００５７】
本実施形態では、決定部２１ｂは、第２トナー付与動作を実行すると判定部２１ａが判定した場合に、第２の用紙Ｓ２の印字率に基づいて、供給トナー幅ｔを決定している。このような構成を採用することで、感光体ドラム１１における転写残トナーの移行（図５Ａ、図５Ｂ参照）を考慮した上で、供給トナー幅ｔを決定することができる。これに伴って、用紙サイズの大小に関わらず、クリーニングブレード１５のめくれや欠損を抑制しつつ、トナー消費量を削減することができる。
【００５８】
また、決定部２１ｂは、累積印字枚数Ｎに含まれる第２の用紙Ｓ２の印字枚数の割合及び第２の用紙Ｓ２の印字率に基づいて決定される倍率αに第２の用紙Ｓ２の前後方向の幅ｐを乗じることで供給規制幅を決定し、この供給規制幅に基づいて供給トナー幅ｔを決定している。このような構成を採用することで、第２の用紙Ｓ２の印字率に基づくだけでなく、累積印字枚数Ｎに含まれる第２の用紙Ｓ２の印字枚数の割合にも基づいて、供給トナー幅ｔを決定することができる。そのため、クリーニングブレード１５のめくれや欠損を抑制しつつ、トナー消費量を一層削減することができる。
【００５９】
また、倍率αは、累積印字枚数Ｎに含まれる第２の用紙Ｓ２の印字枚数の割合が増加するのに従って減少し、第２の用紙Ｓ２の印字率が増加するのに従って増加するように設定されている。このような構成を採用することで、供給トナー幅ｔを適切な値にすることができる。
【００６０】
また、決定部２１ｂは、第２トナー付与動作を実行すると判定部２１ａが判定した場合に、第２の用紙Ｓ２の全域の印字率に基づいて、供給トナー幅ｔを決定している。このような構成を採用することで、第２の用紙Ｓ２の各部分の印字率を算出することなく供給トナー幅ｔを決定することができるため、供給トナー幅ｔを容易に決定することができる。
【００６１】
また、判定部２１ａは、累積印字枚数Ｎに含まれる第２の用紙Ｓ２の印字枚数の割合が閾値Ｙ以下である場合に、第２トナー付与動作を実行しないと判定し、累積印字枚数Ｎに含まれる第２の用紙Ｓ２の印字枚数の割合が閾値Ｙを超える場合に、第２トナー付与動作を実行すると判定している。このような構成を採用することで、第１トナー付与動作の実行に伴って第２トナー付与動作が常に実行される場合と比較して、第２トナー付与動作の実行頻度を減少させることができる。そのため、クリーニングブレード１５のめくれや欠損を抑制しつつ、トナー消費量を一層削減することができる。
【００６２】
また、感光体ドラム１１は、アモルファスシリコンによって構成される感光層１１ｂを含んでいる。このような構成を採用することで、感光体ドラム１１が有機感光層を含んでいる場合よりも、感光体ドラム１１の長寿命化を図ることができる。一方で、感光体ドラム１１がアモルファスシリコンによって構成される感光層１１ｂを含んでいる場合には、感光体ドラム１１が有機感光層を含んでいる場合よりも、感光体ドラム１１の表面に放電生成物が付着しやすくなる。これに伴って、感光体ドラム１１とクリーニングブレード１５の間の摩擦力が高くなるため、クリーニングブレード１５のめくれや欠損が発生しやすくなる。そのため、上記のような構成を用いてクリーニングブレード１５のめくれや欠損を抑制するメリットが大きい。
【００６３】
本実施形態では、決定部２１ｂは、第２トナー付与動作を実行すると判定部２１ａが判定した場合に、第２の用紙Ｓ２の全域の印字率に基づいて、供給トナー幅ｔを決定している。一方で、他の異なる実施形態では、決定部２１ｂは、第２トナー付与動作を実行すると判定部２１ａが判定した場合に、第２の用紙Ｓ２の前後方向両端部の印字率のみに基づいて、供給トナー幅ｔを決定しても良い。このような構成を採用することで、供給トナー幅ｔを正確に決定することができる。
【００６４】
本実施形態では、転写ローラー１４が感光体ドラム１１の表面に担持されたトナー像を用紙Ｓに転写している。一方で、他の異なる実施形態では、転写部材が像担持体の表面に担持されたトナー像を中間転写ベルト等の中間転写体に転写しても良い。
【００６５】
本実施形態では、画像形成装置１がプリンターである。一方で、他の異なる実施形態では、画像形成装置１がコピー機、ファクシミリ、複合機（プリント機能、コピー機能及びファックス機能等を複合的に備えた画像形成装置）等であっても良い。
【符号の説明】
【００６６】
１    画像形成装置
１１    感光体ドラム（像担持体の一例）
１１ｂ  感光層
１３    現像ローラー（現像部材の一例）
１４    転写ローラー（転写部材の一例）
１５    クリーニングブレード
２１    制御部
２１ａ  判定部
２１ｂ  決定部
ＣＡ    接触領域
Ｓ    用紙
Ｓ１  第１の用紙
Ｓ２  第２の用紙
【図１】
2020008733.tif 000003
【図２】
2020008733.tif 000004
【図３】
2020008733.tif 000005
【図４】
2020008733.tif 000006
【図５Ａ】
2020008733.tif 000007
【図５Ｂ】
2020008733.tif 000008
【図６】
2020008733.tif 000009
【図７】
2020008733.tif 000010
【図８】
2020008733.tif 000011